(57)【要約】【課題】ディスプレイ装置などがシートバックに後から組み付けられる後付タイプであっても、このディスプレイ装置の組み付け作業および電気的な接続作業の簡素化を図る。【解決手段】シートバック１０の頂部に電気部品（ディスプレイ装置４０）が設置される車両用シートであって、バックフレーム１２に固定されて外方へ突出しているブラケット１６と、シートバックから引き出された電気ケーブル１８のコネクタ１９と、電気部品の外側を被うとともに、作業用の開口３４を有するハウジング３２と、電気部品を支持し、かつブラケット１６に結合可能なブラケット３８と、コネクタ１９に接続可能な電気部品側コネクタ４２とを備えている。電気部品をシートバック１０に設置したとき、ハウジングの開口３４を通じてブラケット１６,３８同士の結合およびコネクタ１９，４２同士の接続が可能になっている。【選択図】図２
2008100573.tif 000002
【特許請求の範囲】
【請求項１】
シートバックの頂部に電気部品が設置される車両用シートであって、
シートバックのバックフレームに固定され、シートバックの頂部から外方へ突出しているブラケットと、
シートバック内を通じて導かれ、該シートバックの頂部から外方へ引き出された電気ケーブルのコネクタと、
電気部品の外側を被うとともに、該電気部品の取付け作業用の開口を有するハウジングと、
電気部品を支持するとともに、バックフレームのブラケットに結合可能な電気部品側ブラケットと、
電気ケーブルのコネクタに接続可能な電気部品側コネクタとを備え、
電気部品がシートバックの頂部に設置されたときに、ハウジングの開口を通じてバックフレームのブラケットと電気部品側ブラケットとの結合および電気ケーブルのコネクタと電気部品側コネクタとの接続が可能な状態で、かつ、これらがハウジングによって被われるように構成された車両用シート。
【請求項２】
請求項１に記載された車両用シートであって、
電気部品側コネクタは電気部品と一体に設けられており、バックフレームのブラケットと電気部品側ブラケットとが結合され、電気部品がシートバックの頂部に設置された状態で、電気部品側コネクタがハウジングの外側から開口を通じて目視できる位置となるように設定されている車両用シート。
【請求項３】
請求項１又は２に記載された車両用シートであって、
ハウジングは、その作業用の開口を有する部分が傾斜しているとともに、このハウジングの傾斜に倣ってバックフレームのブラケットおよび電気部品側ブラケットを傾斜させている車両用シート。
【請求項４】
請求項１，２又は３に記載された車両用シートであって、
ハウジングにおける取付け作業用の開口は、蓋体によって閉ざすことが可能に構成されている車両用シート。
【請求項５】
シートバックの頂部にディスプレイ装置が設置される車両用シートであって、
バックフレームにおいてヘッドレストを支持するためのサポートホルダの背面側に隣接して該バックフレームに一体に設けられ、シートバックの頂部から後方へ斜め上向きに突出させた第１ブラケットと、
シートバック内を通ってその頂部から外方へ引き出された電気ケーブルの端部に設けられ、ディスプレイ装置のコネクタに接続されるコネクタと、
ディスプレイ装置をシートバックの背面に向けて支持することが可能で、かつ、第１ブラケットに結合可能な結合部を有する第２ブラケットと、
第２ブラケットに支持されたディスプレイ装置の正面側をカバーするように取り付けられる正面カバーと、
ディスプレイ装置および第２ブラケットを挟んで正面カバーに結合されるとともに、第２ブラケットの結合部と対応する箇所に取付け作業用の開口を有するハウジングとを備えた車両用シート。
【請求項６】
請求項５に記載された車両用シートであって、
ディスプレイ装置のコネクタは該ディスプレイ装置の背面に設けられ、第２ブラケットは、その結合部に隣接してディスプレイ装置のコネクタを露出させるための開口を備えている車両用シート。
【請求項７】
請求項５又は６に記載された車両用シートであって、
ハウジングは、その下部が前方へ延びてヘッドレスト用のサポートホルダ上方を被う部分を有し、この部分にはヘッドレストのステーを挿通させる挿通孔が開けられている車両用シート。
【発明の詳細な説明】
【技術分野】
【０００１】
本発明は、シートバックにディスプレイ装置などの電気部品が設置された車両用シートに関する。
【背景技術】
【０００２】
シートバックに設けられるディスプレイ装置は、後部シートの着座者を対象としたものであり、通常はヘッドレストの背面あるいはシートバックの背面に設けられる。ディスプレイ装置をヘッドレストの背面に組み込んだ構成の一態様が、特許文献１に開示されている。この文献に開示された技術では、ビデオディスプレイがヘッドレストの背面に組み込まれ、このディスプレイに接続された電気ケーブルがヘッドレストの中空ステーに通され、その下端部から引き出されている。一方、ディスプレイに電力およびビデオ入力を供給するために車体側からシートバック内を通じて導かれる電気ケーブルについては、一般的にシートバックの頂部（中空ステーの挿入口など）から外方へ引き出される。これらの両電気ケーブルは、それぞれの端部に設けられているコネクタ同士を結合することで接続される。
【特許文献１】特開２００２−９５８４９号公報
【発明の開示】
【発明が解決しようとする課題】
【０００３】
特許文献１に開示された技術にあっては、ヘッドレストをシートバックに組み付ける前に、このヘッドレストを持った状態で、その中空ステーの下端部から引き出されている電気ケーブルと、シートバックの頂部から引き出されている電気ケーブルとのコネクタ同士を接続しなければならず、その作業が煩雑である。
【０００４】
なお、例えばディスプレイ装置がシートバック側に予め組み付けられている構成では、上記の電気接続作業における不具合は回避される。ただし、この構成ではシートを車両に搭載する際にディスプレイ装置がじゃまになり、極端な場合はディスプレイ装置を一旦取り外さなければシートを搭載できず、ディスプレイ装置の脱着作業が必要となる。
【０００５】
本発明は、このような課題を解決しようとするもので、その目的は、ディスプレイ装置などがシートバックに後から組み付けられる後付タイプであっても、このディスプレイ装置の組み付け作業および電気的な接続作業の簡素化を図ることである。
【課題を解決するための手段】
【０００６】
本発明は、上記の目的を達成するためのもので、以下のように構成されている。
第１の発明は、シートバックの頂部に電気部品が設置される車両用シートであって、
シートバックのバックフレームに固定され、シートバックの頂部から外方へ突出しているブラケットと、シートバック内を通じて導かれ、該シートバックの頂部から外方へ引き出された電気ケーブルのコネクタと、電気部品の外側を被うとともに、該電気部品の取付け作業用の開口を有するハウジングと、電気部品を支持するとともに、バックフレームのブラケットに結合可能な電気部品側ブラケットと、電気ケーブルのコネクタに接続可能な電気部品側コネクタとを備えている。そして、電気部品がシートバックの頂部に設置されたときに、ハウジングの開口を通じてバックフレームのブラケットと電気部品側ブラケットとの結合および電気ケーブルのコネクタと電気部品側コネクタとの接続が可能な状態で、かつ、これらがハウジングによって被われるように構成されている。
【０００７】
この構成においては、ハウジングの開口を通じてバックフレームのブラケットに電気部品側ブラケットを結合することにより、まずシートバックに電気部品を組み付け、その後に電気ケーブルのコネクタと電気部品側コネクタとを接続することができる。これにより、シートバックに対する電気部品の組み付け作業は勿論のこと、電気的な接続作業も簡素化される。したがって、いわゆる後付タイプの電気部品であっても、これをシートバックに組み付けるための作業性が向上する。
【０００８】
第２の発明は、第１の発明において、電気部品側コネクタは電気部品と一体に設けられており、バックフレームのブラケットと電気部品側ブラケットとが結合され、電気部品がシートバックの頂部に設置された状態で、電気部品側コネクタがハウジングの外側から開口を通じて目視できる位置となるように設定されている。
【０００９】
これにより、コネクタ同士の接続にあたっては、ハウジングの内側で電気部品と一体の電気部品側コネクタに対し、シートバックの頂部から引き出されている電気ケーブルのコネクタのみを持って目視作業によって接続することができる。
【００１０】
第３の発明は、第１又は２の発明において、ハウジングは、その作業用の開口を有する部分が傾斜しているとともに、このハウジングの傾斜に倣ってバックフレームのブラケットおよび電気部品側ブラケットを傾斜させている。
【００１１】
この構成においては、バックフレームのブラケットと電気部品側ブラケットとを例えばボルト締めによって結合する場合に、工具の使用角度がハウジングの開口面に対してほぼ垂直となり、ボルト締めの作業性がよい。
【００１２】
第４の発明は、第１，２又は３の発明において、ハウジングにおける取付け作業用の開口は、蓋体によって閉ざすことが可能に構成されている。
【００１３】
これにより、ハウジングの開口を通じてブラケット同士の結合およびコネクタ同士の接続を終えた後は、開口を蓋体で閉ざすことにより、両ブラケットや両コネクタなどを覆い隠すとともに開口から電気ケーブルの一部が露出するのを防止でき、意匠性が良好に保たれる。
【００１４】
第５の発明は、シートバックの頂部にディスプレイ装置が設置される車両用シートであって、バックフレームにおいてヘッドレストを支持するためのサポートホルダの背面側に隣接して該バックフレームに一体に設けられ、シートバックの頂部から後方へ斜め上向きに突出させた第１ブラケットと、シートバック内を通ってその頂部から外方へ引き出された電気ケーブルの端部に設けられ、ディスプレイ装置のコネクタに接続されるコネクタと、ディスプレイ装置をシートバックの背面に向けて支持することが可能で、かつ、第１ブラケットに結合可能な結合部を有する第２ブラケットと、第２ブラケットに支持されたディスプレイ装置の正面側をカバーするように取り付けられる正面カバーと、ディスプレイ装置および第２ブラケットを挟んで正面カバーに結合されるとともに、第２ブラケットの結合部と対応する箇所に取付け作業用の開口を有するハウジングとを備えている。
【００１５】
この構成では、第２ブラケットに支持されたディスプレイ装置を正面カバーとハウジングとの間に挟んだ状態に組み付けた後、ハウジングの開口を通じて第１ブラケットに第２ブラケットの結合部を結合してシートバックにディスプレイ装置を組み付けるとともに、コネクタ同士を接続することができる。これにより、シートバックに対するディスプレイ装置の組み付け作業、ならびに電気的な接続作業が簡素化される。
【００１６】
第６の発明は、第５の発明において、ディスプレイ装置のコネクタは該ディスプレイ装置の背面に設けられ、第２ブラケットは、その結合部に隣接してディスプレイ装置のコネクタを露出させるための開口を備えている。
【００１７】
これにより、ディスプレイ装置のコネクタがハウジングの開口を通じて目視可能になるとともに、第１ブラケットと第２ブラケットの結合部との結合箇所の近傍においてコネクタ同士の接続を行うことができる。
【００１８】
第７の発明は、第５又は６の発明において、ハウジングは、その下部が前方へ延びてヘッドレスト用のサポートホルダ上方を被う部分を有し、この部分にはヘッドレストのステーを挿通させる挿通孔が開けられている。
この構成では、ハウジングがヘッドレスト用のサポートホルダを覆い隠す機能も兼ねることとなる。
【発明を実施するための最良の形態】
【００１９】
以下、本発明を実施するための最良の形態を、図面を用いて説明する。
車両用シートを背面側から見た図１から明らかなように、シートバック１０の頂部にヘッドレスト２０が位置している。このヘッドレスト２０の背面側には車載用のディスプレイ装置４０が、その表示面をシートバック１０の背面側に向けて設置されている。なお、ディスプレイ装置４０はシートバック１０の頂部に設置される電気部品の一例であって、オーディオのスピーカなどに代えることも可能である。
【００２０】
図２において、シートバック１０の骨格を構成する金属製のバックフレーム１２は、その上部に固定された一対のサポートホルダ１４と、両サポートホルダ１４の中間位置に固定されたブラケット１６（第１ブラケット）とを備えている。両サポートホルダ１４は上下向きの筒形状をしており、それぞれの中に図４および図５で示すヘッドレスト２０の一対のヘッドレストステー２２がヘッドレストサポート（図示省略）を介在させた状態で個々に挿入される。これにより、ヘッドレスト２０がシートバック１０の頂部に装着された状態に保たれる。
【００２１】
バックフレーム１２に固定されているブラケット１６は、全体形状がアーチ型をしており、バックフレーム１２から上方へ立ち上がった箇所から後方へ斜め上向きに延びた形状に設定されている。そして、このブラケット１６はシートバック１０の頂部から表皮のスリット１１（図２）を通じて外方へ突出しており、表皮の外部に位置する部分の端部付近においてボルトの締め付けが可能な二個のボルト孔１７を備えている。また、ディスプレイ装置４０に電力および画像信号などを供給するための電気ケーブル１８は、車体側からシートバック１０内を通じて頂部に導かれ、表皮のスリット１１から外方へ引き出されてその端部にコネクタ１９が設けられている。なお、シートバック１０の表皮には、スリット１１に加えて両サポートホルダ１４に挿入される両ヘッドレストステー２２を通すための孔（図示省略）も開けられている。
【００２２】
ディスプレイ装置４０は、その外側がハウジング３２および正面カバー４４によって被われる。ハウジング３２の前面３２ａは、ヘッドレスト２０の背面形状に倣って湾曲した状態に傾斜しており、背面３２ｂは開放面となっている（図５）。そして、ハウジング３２の前面３２ａと背面３２ｂとの間にある隔壁３３も前面３２ａに沿って湾曲した状態に傾斜しているとともに、この隔壁３３には、前面３２ａから背面３２ｂに通じる作業用の開口３４が開けられている。この開口３４は、図４で示す蓋体３５によって閉ざした状態に保持することが可能である。また、隔壁３３の下部は前方へ延びて両サポートホルダ１４の上方を被う部分を構成しており、この部分の左右両側には、両ヘッドレストステー２２を挿通させるための挿通孔３６がそれぞれ開けられている。
【００２３】
ディスプレイ装置４０を支持するためのブラケット３８（第２ブラケット）は、矩形の金属プレートである。このブラケット３８は、開口３８ａを有するとともに、開口３８ａの下側縁部から前方へ斜め下向きに延びる結合部３８ｂを有する。この結合部３８ｂの傾きは、バックフレーム１２に固定されているブラケット１６の傾きと対応している。そして、これらのブラケット１６および結合部３８ｂと、ハウジング３２の開口３４を有する隔壁３３との傾きは、相互に対応している。結合部３８ｂは、ボルトの挿通が可能な二個の挿通孔３９を備えている。
【００２４】
図２のブラケット３８、ディスプレイ装置４０および正面カバー４４のみを拡大して表した図３からも明らかなように、ブラケット３８は、その左右両縁の上下方向に沿って開けられた計8個のビス孔３８ｃと、結合部３８ｂの左右両側に開けられた一対のビス孔３８ｄとを備えている。また、ブラケット３８は、その上縁において上下向きに開けられた3個の係合孔３８ｅを備えている。
【００２５】
ディスプレイ装置４０には、その表示面（正面）の反対側において電力および画像信号などを入力するコネクタ４２が一体に設けられている。後で説明するようにディスプレイ装置４０がブラケット３８に組み付けられた状態において、コネクタ４２はブラケット３８の開口３８ａを通じて該ブラケット３８の前面側に位置する（図４、図５）。ディスプレイ装置４０は、その左右両縁の上下方向に沿って開けられた計8個のビス孔４１を備えている（図３）。これらのビス孔４１は、ブラケット３８における各ビス孔３８ｃの位置と対応している。
【００２６】
ハウジング３２と共にディスプレイ装置４０を被うための正面カバー４４には、ディスプレイ装置４０の表示面に対応した大きさの開放面４５が開けられている。正面カバー４４の内側には、開放面４５の上部において3個の係合爪４４ａが設けられている。これらの係合爪４４ａは、ブラケット３８における各係合孔３８ｅの位置と対応している。同じく正面カバー４４の内側において、開放面４５の上部および開放面４５の下部から前方へ延びた部分の左右両側には、ハウジング３２との結合を果たすための計4個の係合爪４４ｂが設けられている。また、正面カバー４４の内側における開放面４５の下部には、ブラケット３８の両ビス孔３８ｄと対応する箇所において前方へ突出した一対のボス部４４ｃが設けられている。
【００２７】
つづいて、シートバック１０の頂部に表示ディスプレイ３０を組み付ける作業について説明する。
まず、ブラケット３８に対してその背面側からディスプレイ装置４０を組み付け、ブラケット３８の各ビス孔３８ｃからディスプレイ装置４０の各ビス孔４１に対してビス４６（図４，図５）をそれぞれ締め付ける。これによってブラケット３８とディスプレイ装置４０とが一体化される。この状態において、ディスプレイ装置４０のコネクタ４２がブラケット３８の開口３８ａを通じて前面側に露出している（図４，図５）。なお、ディスプレイ装置４０の表示面は、当然ながらブラケット３８とは反対の背面側（正面カバー４４側）に向いている。
【００２８】
つぎに、ブラケット３８に対して正面カバー４４を組み付け、ブラケット３８の各係合孔３８ｅに正面カバー４４の各係合爪４４ａを係合させ（図５）、かつ、ブラケット３８の両ビス孔３８ｄから正面カバー４４の両ボス部４４ｃに対してビス４７（図５）をそれぞれ締め付ける。これにより、ブラケット３８、ディスプレイ装置４０および正面カバー４４が一体化され、正面カバー４４の開放面４５にディスプレイ装置４０の表示面が収まる。
【００２９】
この後、ブラケット３８およびディスプレイ装置４０と共に一体化されている正面カバー４４を、ハウジング３２に対してその背面３２ｂから組み付け、正面カバー４４の各係合爪４４ｂをハウジング３２の対応する孔（図示省略）に係合させて相互を一体化する。これにより、ハウジング３２と正面カバー４４とは、内部にブラケット３８およびディスプレイ装置４０を収めた状態で、相互に一体的な意匠面を構成する。
【００３０】
こうしてブラケット３８に支持され、かつ、ハウジング３２および正面カバー４４に被われてアッセンブリ状態となったディスプレイ装置４０をシートバック１０の頂部にセットする。このとき、ブラケット３８の結合部３８ｂをバックフレーム１２のブラケット１６に重ね、図４および図５で示すように二本のボルト４８によって結合部３８ｂとブラケット１６とを結合する。これによってシートバック１０の頂部にディスプレイ装置４０が組み付けられた状態に保持される。
【００３１】
シートバック１０の頂部にディスプレイ装置４０が組み付けられた状態において、ブラケット１６および結合部３８ｂはハウジング３２の開口３４を通じて前面３２ａから見える位置にある。これに加えてブラケット１６および結合部３８ｂは、既に説明したようにハウジング３２の開口３４が開けられている隔壁３３の傾きに倣って傾斜している。したがって、結合部３８ｂとブラケット１６とを結合する作業は、開口３４を通じて目視作業で、かつ、開口３４の面に対してほぼ垂直に工具を使用して両ボルト４８を締め付けることができる。
【００３２】
また、シートバック１０の頂部から引き出されている電気ケーブル１８およびそのコネクタ１９、ディスプレイ装置４０のコネクタ４２についても開口３４から目視可能に位置している。そのため、電気ケーブル１８のコネクタ１９を片手で持って固定のコネクタ４２に目視作業で差し込むことによって相互を接続することができる。なお、コネクタ１９，４２同士を接続したら、電気ケーブル１８の余長部分をハウジング３２の内部（隔壁３３の内側）に収め、開口３４に蓋体３５を被せる。これにより、互いにボルト４８で結合されたブラケット１６と結合部３８ｂ、接続されたコネクタ１９，４２および電気ケーブル１８は、全てハウジング３２によって覆い隠された状態になる。
【００３３】
この後、ヘッドレスト２０における一対のステー２２を、ハウジング３２の両挿通孔３６からバックフレーム１２の両サポートホルダ１４にそれぞれ挿入することにより、該ヘッドレスト２０がシートバック１０の頂部に装着される。この状態において、ヘッドレスト２０の背面とハウジング３２の前面３２ａとが相互に接合しており（図５）、ヘッドレスト２０とディスプレイ装置４０との一体感が確保されている。
【図面の簡単な説明】
【００３４】
【図１】車両用シートを背面側から見た外観斜視図
【図２】車載用のディスプレイ装置とその関連部材を表した分解斜視図
【図３】図２の一部の部品のみを拡大して表した斜視図
【図４】アッセンブリ状態のディスプレイ装置をヘッドレストと共に表した外観斜視図
【図５】図１のA-A矢視方向の拡大断面図
【符号の説明】
【００３５】
１０ シートバック
１２ バックフレーム
１６ ブラケット（第１ブラケット）
１８ 電気ケーブル
１９ コネクタ
３２ ハウジング
３２ａ  前面
３２ｂ  背面
３４ 作業用の開口
３８ ブラケット（第２ブラケット）
４０ ディスプレイ装置（電気部品）
４２ コネクタ
【図１】
2008100573.tif 000003
【図２】
2008100573.tif 000004
【図３】
2008100573.tif 000005
【図４】
2008100573.tif 000006
【図５】
2008100573.tif 000007